(57)【要約】【課題】水は生物の根源である。即ち、地球上に生存する生物生存の基本である。昨今の地球的な自然環境の悪化や保全は際限なく悪化に傾向している中での水質の改善方法は時代に即応したものである。【解決手段】地球人の全てが平和を愛し、自然を愛し、自然に学び、自然に生きる喜びを甘受し、一人一人が社会に感謝し、事業者は小さな事業でも社会に貢献出来ることを確認して自然環境の改善事業の実行が生活環境の促進に寄与するものであり、その心が肝要である。【選択図】　　　　図１
2004058039.tif 000002
【特許請求の範囲】
【請求項１】
シート状、帯状、パイプ状、ロープ状などの基材（基体）に単独又は複数個の磁石を取り付けて、対象水と接触する事を特徴とした磁石による水質の改善方法。
【請求項２】
基材のパイプの内、外に磁石をセットする請求項１の方法。
【請求項３】
基材のロープ（ワイヤー）又は金属棒（針金）に磁石をセットする請求項１の方法。
【請求項４】
基材の金属板又はプラスチック板などに磁石をセットする請求項１の方法。
【発明の詳細な説明】
【０００１】
【発明の属する技術分野】
自然環境及び生活環境に係る水質の改善に関する。
【０００２】
【従来の技術】
科学技術の発展に伴い（農薬、化学肥料、自動車等の公害）自然環境の破壊は今や地球的な大問題となり各地で大気汚染や酸性雨による二次的な被害が云々言われる現状にあり、このような状態が１００年も続けば地球の破壊とも言われる中でヒトの生活にも重大な影響を及ぼしている訳であるが、これと言う名案もベストもなく、いずれも対象療法的なものであり量的制限以外にないと言われる所以である。
【０００３】
【発明が解決しようとする課題】
以上の実情に鑑み磁石が持つ永久的なヱネルギーを用いて水中の環境改善と水中の生態系の改善を図り従来的な「電気や動力や化学反応」などのヱネルギーを全く使わない方法、即ち、自然ヱネルギーと磁石の永久ヱネルギーを用いて「磁力の刺激作用、走磁性作用、磁化による水分子の細分化作用」等を総合的な活用方法を課題とする。
【０００４】
【課題を解決するための手段】
概　念
以上の構想を促進するための手段として「基材に磁石をセット」して走磁性微生物の棲家とする。即ち、水中に生息する走磁性微生物を磁力で誘引（走性）して基材に定着させて、水中の生態系の改善を図る手段と「磁力と酸素」との常磁性作用を用いて水中環境の改善を図る手段との相乗効果を課題解決への手段とする。
【０００５】
概　要
対象水は風波などにより絶えず動いているから水中に磁界を設けると「磁石と酸素」は反応する。
従って、水分クラスターは反応刺激によりミリオ化する。即ち、水分クラスターに包接されているコロイド状の汚物が解放されて沈殿される。
水底に沈殿した汚物は走磁性微生物のエサ（分解）になるように水底に磁界（磁場）を設置する。待ちうける方法が本発明の概要手段である。
【０００６】
磁石のセット方式
（１）Ｓ極を主体として複数並べる方式。
（２）Ｎ極を主体として複数並べる方式。
（３）ＳＳ，ＮＮを複数で並べる方式。
（４）ＮＳ，ＳＮを複数で並べる方式。
【０００７】
用　途
河川、用水路、池、湖沼、海洋、防水池、貯水池、溜池、用水池、農業用水池、プール、水槽、用水槽、防火槽など。
【０００８】
適用形態
本発明は磁石による磁力を最も有効的に創作したものである。即ち、磁力による走磁性微生物の正の走性論からなる住処論による定着論が成り立つのが自然的である。また水中に磁界を設けると常磁性の酸素の反応から水分子の活性化が起る創作論、即ち、自然ヱネルギーのみで水環境の改善を目的とした方法である。
【０００９】
【発明の実施の形態】
磁石が持つ永久ヱネルギーを最も有効的に反応させて恒常的な水質の改善を図るものである。
水は絶えず動いている。その対象水中に磁界（磁場）を設けると必ず水中酸素との共鳴作用が起り自然と水質の活性化が起る。又水中には無数の微生物が生息し、単独行動が可能である。
従って、水中の磁界刺激に対して正の走性を示す微生物も負の走性を示す微生物も無数にいる。従って、正の走性（刺激に対して集中する微生物）の微生物に対して基材の住処を与えて定住（定着）を図る手段を基本とした方法である。
以下実施の形態について説明するが、理論的には未だ不明な点が多々あり解明は今後の課題である。例えば、図２に示すアルミパイプに装着された磁石付きアルミパイプを貯水池の水底や水中に設置するのみで期待できるが、重要なことは「水量に対する磁力」である。（磁力と接地方法）
即ち、水質の汚れ状況など様々であり、又その環境状態もそれぞれであるから設置技術が最重要であることは当然である。
発明者は一応の目安として「水量１トンに対して１，０００〜１０，０００ガウス」の磁力が必要である。
即ち、図１、図２、図３、図４に示す装着磁石を「水面、水中、水底」に各現状に合せて設置するのが技術である。設置後の改善経過は「水質、水温、水環境」などにより、それぞれ異なるが設置後約３０〜４５日頃より改善状況が現れ始まる筈である。実験、実施を経ての特筆事項は「アオコの抑制と水質の光沢」であるが理論的には未だに不明であり今後の課題であるが「水質の浄化やヘドロの減少」については走磁性微生物による分解作用の促進と磁力による水分クラスターの細分化による凝集作用などによるものと思われる。又オイル、シルト、ネット、ダム等のフェンス又は既製のフェンスに磁石をセットして使用するのみで効果がある。
従来技術は全て動力によるもので動力を止めることができないからランニングコストと故障などがネックとされていたが、本発明は全くランニングコストも故障もなく経済的な効果は抜群である。又磁石が持つ磁力は半永久的なヱネルギーであることからすると相当長期に亘る効果が期待できる。
【００１０】
【実施例】
実験及び実施例
以下実験及び実施例による発明の実験、実施による態様を説明するが、例示は単なる説明用のもので発明思想の制限、又は限定を意味するものではない。
【００１１】
（１）　各２リットル用の容器に乾燥ヘドロ２００ｇを入れ、各水道水を１リットルを入れたコントロール容器と、その上部に磁石（１，２００ガウス）をアルミニュウムのパイプ（図２）に磁石をヘドロ上部に置いて比較実験
して見た。
非実験容器　実施１５日後　やや濁りが残る
実験容器　　実施１５日後　透明度が良い
【００１２】
（２）　（１）の実験を続行して実施後４５日目に各容器のヘドロを取り出して
各３日間乾燥させて各測定して見た。
非実験ヘドロ　　１８０ｇ
実験ヘドロ　　　１２０ｇ
【００１３】
（３）　水量が４５５トンの防水池に磁石（約５０テスラ）を水底と水中に設置
して６０日後に比較して見た。
（１）　水深約８０ｃｍの水質はアオコで汚れ臭気があり水底は全く見
えず鯉も見えなかった。
（２）　設置後はアオコは全て水底に沈降し、濁りは解消され鯉の鑑賞も可能になった。
【００１４】
（４）　６０リットル水槽の水底に金属板（図１）、磁石（３，６００ガウス）を敷いて実験槽とし磁石を入れない非実験槽（コントロール）として比較
実験して見た。（各水槽に和金６匹を飼育）
非実験水槽（６０リットル）実施後２５日でアオコが発生し水質も悪
化して３０日目に水替えをした。
実験水槽（６０リットル）　　実験後６０日後にアオコが少し発生９０
日目に水替えをした。
【００１５】
（５）　野外の農業用水槽（約２００リットル）の水底に磁石（６，０００ガウ
ス）をセットした金属シート（図１）を敷いて実験して見た。
結果　実施後６０日後もアオコが発生しない。
【００１６】
例　示
実験や実施については、多種多様な方法があり、土木的な技術や知識を要するものである中で詳しい技術的な内容についても自ずと限界がある技術である。従って、経験と体験が肝要である。
【００１７】
【発明の効果】
本発明は極わめて単純な方法に思われるが、技術的には極めて知識と経験や技術を必要とする。即ち、水は人の命の生命線上にかかわる事業に関するものである。昨今の自然環境の改善や保全が叫ばれているのは地球的な叫びである。従って、小さな池や河川の改善の積み重ねが生活環境の改善に寄与するものである。
【図面の簡単な説明】
【図１】本発明のアルミニュウム板に磁石を取付けた状態を示す平面図
【図２】本発明のアルミパイプに磁石を取付けた状態を示す正面図
【図３】本発明のステンレス板に磁石を取付けた状態を示す正面図
【図４】エンビパイプ内に磁石を取り付けた状態を示す断面斜視図
【符号の説明】
１　磁石
２　アルミニュウ板
３　アルミニュウムパイプ
４　ステンレス板
５　エンビパイプ
６　ボルト（アイレット）
７　磁石の安定心棒
【図１】
2004058039.tif 000003
【図２】
2004058039.tif 000004
【図３】
2004058039.tif 000005
【図４】
2004058039.tif 000006